(57)【要約】【課題】面発光源による明かりをとりながら、光の点滅による時計機能（秒針機能）を備えることで、夜間など暗い中での点滴速度の調整等を容易にすることができる携帯用ライトを提供する。【解決手段】携帯用ライト１の外郭を構成する偏平なケース２の前面には、面発光光源としての有機ＥＬパネル３が搭載されている。前記ケース２の裏面には当該ケースを衣服の一部に係止させることができるクリップ７が配置され、前記ケースの上側面には所定の時間間隔で点灯を繰り返すＬＥＤによる発光素子が備えられる。  前記ＬＥＤによる光投射軸は、前記面発光光源としての有機ＥＬパネル３の面に沿った方向に設定されている。【選択図】図１
2017098053.tif 000002
【特許請求の範囲】
【請求項１】
偏平なケースの前面に搭載された面発光光源と、前記ケースの裏面に配置され当該ケースを衣服の一部に係止させることができるクリップと、前記ケースの側面に配置され、所定の時間間隔で点灯を繰り返す発光素子とが備えられ、
前記発光素子の光投射軸が、前記面発光光源の面に沿った方向に設定されていることを特徴とする携帯用ライト。
【請求項２】
前記発光素子は、１秒毎に点灯を繰り返す点灯制御がなされることを特徴とする請求項１に記載の携帯用ライト。
【請求項３】
前記面発光光源は、前記ケースの一部に配置された調光操作部の操作により、発光輝度が調整可能に構成されると共に、前記ケースの一部に配置された調色操作部の操作により、発光色が調整可能に構成されていることを特徴とする請求項１または請求項２に記載の携帯用ライト。
【請求項４】
前記面発光光源として有機ＥＬパネルが用いられ、前記発光素子としてＬＥＤが用いられていることを特徴とする請求項１ないし請求項３のいずれか１項に記載の携帯用ライト。
【発明の詳細な説明】
【技術分野】
【０００１】
この発明は、例えば医師や看護師などの医療従事者の夜間巡回用として好適に利用することができる携帯用ライトに関する。
【背景技術】
【０００２】
病院などにおける看護師を含む医療従事者は、所定の時間経過毎に入院患者の状態を確認するための巡回検査（定期巡回）を行い、決められた患者に対しては検温や脈拍測定、さらに必要な医療処置等も施される。特に夜間の巡回検査においては、携帯用ライトを持参する必要があり、これには従来より比較的小型で軽量なペン型ライトなどが用いられている。しかしながらペン型ライトは、照射角度が比較的絞られたスポット光を投射する傾向にあり、夜間の巡回においては患者にまぶしさを与え、患者の睡眠を妨げるなどの問題が発生し得る。
【０００３】
そこで本件出願人は、医療従事者が巡回観察に用いるに適した携帯用ライトとして、有機ＥＬ（Electro Luminescence）パネルを発光部に用いた看護師携帯用ライト（ナースライト）を先に提案をしており、これは次に示す非特許文献に開示されている。
この看護師携帯用ライトによると、発光部として有機ＥＬパネルを利用しているので、まぶしさのない面発光により、直近の周囲を幅広く照らすことができる。
これにより、患者に対する影響を少なくすることができると共に、患者の状態観察や必要な看護業務を十分に果たすことができる。
【先行技術文献】
【非特許文献】
【０００４】
【非特許文献１】インターネット＜URL:http://www.intelas.jp/img/luna-mainimg.jpg＞〔平成２７年１１月１８日検索〕
【発明の概要】
【発明が解決しようとする課題】
【０００５】
ところで、入院患者への投薬の一つとして点滴治療が広く利用されており、周知のとおり、点滴容器の交換と共に点滴速度を合わせるなどの操作が伴われる。
特に夜間における点滴の調整には、暗い中で明かりをとりながら、時計やストップウォッチを見つつ薬液の滴下を確認し、滴下の時間間隔を調整する操作が必要となる。
このために、看護師の両手が自由にならず、薬液の滴下速度の調整に戸惑うなどの問題が招来される。
【０００６】
この発明は、前記した夜間における医療現場の実情に鑑みてなされたものであり、面発光源による明かりをとりながら、光の点滅による時計機能（秒針機能）を備えることで、点滴速度の調整を容易にすることができる携帯用ライトを提供しようとするものである。
加えて、医療従事者の両手を自由にすることで、夜間における医療現場の安全と作業効率化にも貢献することができる携帯用ライトを提供することを課題とするものである。
【課題を解決するための手段】
【０００７】
前記した課題を解決するためになされたこの発明に係る携帯用ライトは、偏平なケースの前面に沿って搭載された面発光光源と、前記ケースの裏面に配置され当該ケースを衣服の一部に係止させることができるクリップと、前記ケースの側面に配置され、所定の時間間隔で点灯を繰り返す発光素子とが備えられ、前記発光素子の光投射軸が、前記面発光光源の面に沿った方向に設定されていることを特徴とする。
【０００８】
この場合、前記発光素子は、１秒毎に点灯を繰り返す点灯制御がなされることが望ましい。また好ましい実施の形態においては、前記面発光光源は、前記ケースの一部に配置された調光操作部の操作により、発光輝度が調整可能に構成されると共に、前記ケースの一部に配置された調色操作部の操作により、発光色が調整可能に構成される。
そして、前記面発光光源として望ましくは有機ＥＬパネルが用いられ、前記発光素子としてＬＥＤ（発光ダイオード）が用いられる。
【発明の効果】
【０００９】
この発明に係る携帯用ライトによると、その外郭を構成する偏平なケースの前面に沿って有機ＥＬパネルによる面発光光源が搭載され、ケースの裏面にはこのケース（携帯用ライト）を衣服の一部に係止させることができるクリップが配置される。
したがって、前記クリップを利用して例えば看護師の胸ポケットや腰ポケット部分に前記携帯用ライトを装着することで、前記有機ＥＬパネルからの面発光による光を、看護師の前面に向かって投射することができる。
【００１０】
そして、携帯用ライトの側面に配置された発光素子としてのＬＥＤより、所定の時間間隔、例えば１秒ごとに点灯光が投射されるので、看護師は両手が自由な状態で、前記ＬＥＤの点灯タイミングと対比しつつ、点滴の滴下速度等を調整することができる。
これにより、夜間における医療現場の安全と作業効率化に貢献できる携帯用ライトを提供することが可能となる。
【図面の簡単な説明】
【００１１】
【図１】この発明に係る携帯用ライトの斜視図である。
【図２】同じく有機ＥＬパネルを前面にした正面図である。
【図３】同じく上面（上側面）図である。
【図４】同じく下面（下側面）図である。
【図５】同じく背面図である。
【図６】同じく右側面図である。
【図７】同じく左側面図である。
【図８】同じく天地を逆にして、水平面上に倒立させた状態の側面図である。
【図９】この発明に係る携帯用ライトの回路構成を示したブロック図である。
【発明を実施するための形態】
【００１２】
この発明に係る携帯用ライトについて、図に示す実施の形態に基づいて説明する。
図１〜図８に外観構成を示したように、この携帯用ライト１は、その外郭が矩形状にして偏平状に形成されたケース２により構成されている。このケース２は全体が合成樹脂素材により形成され、各隅角部は若干丸みを付けた状態に成形されている。
【００１３】
前記ケース２の前面における中央の大部分の面積を占めるようにして、ほぼ正方形状の面発光光源、すなわち有機ＥＬパネル３が搭載されている。
この有機ＥＬパネル３は、後述するようにその発光色および発光輝度が調整可能となるようにＲ（赤）、Ｇ（緑）、Ｂ（青）の各色が独立して発光し得る機能を備えている。
【００１４】
そして、前記ケース２の右側面には、その上部に電源オン・オフの機能を兼ねる有機ＥＬパネル３の調光スイッチ４が配置されている。これは丸形のプッシュスイッチにより構成されている。
また、前記ケース２の左側面には、前記したプッシュスイッチ４の配置位置と左右対称の位置に、有機ＥＬパネル３の発光色を切り換える調色スイッチ５が配置されている。これも丸形のプッシュスイッチにより構成されている。
【００１５】
さらに前記ケース２の上側面のほぼ中央部には、角型の秒針点灯スイッチ６が配置されている。この秒針点灯スイッチ６はプッシュスイッチの機能を備えると共に、光透過性の樹脂素材により形成されており、その直下には、発光素子として後述するＬＥＤが収容されている。
すなわち、秒針点灯スイッチ６の直下に配置されている後述するＬＥＤの光投射軸は、有機ＥＬパネル３の面に沿った方向となるように設定され、ＬＥＤと有機ＥＬパネル３の光投射軸とは互いに直交する方向に設定されている。
【００１６】
この実施の形態に係るＬＥＤには二色発光ダイオードが用いられており、ケース２内に収容された二次電池（リチウムイオン電池）への充電状態などの表示機能と、１秒毎に点滅を繰り返す秒針点灯機能などが、ＬＥＤの発光色で識別できるように構成されている。
そして、前記秒針点灯スイッチ６をプッシュ操作することで、前記ＬＥＤが緑の発光色で１秒毎に点灯するように制御され、秒針点灯スイッチ６を再度プッシュ操作することで、ＬＥＤの秒針点灯の機能は停止（消灯）されるように制御される。
【００１７】
前記ケース２の背面には、クリップ７が配置されている。このクリップ７は、図３に示されたように、前記ケース２の背面に当該ケース２と一体に立設された一対の脚部２ａを利用して取り付けられている。すなわち、一対の脚部２ａに跨がるように支軸８が取り付けられ、この支軸８に捲装されたバネ部材９と共に、クリップ７が回動可能に取り付けられている。
そして、図５に示されているクリップ７の操作部７ａを押圧操作し、例えば胸ポケットの開口縁部（図示せず）に、先端の挟持部７ｂを差し込んで挟み付けることで、携帯用ライト１を、衣服の一部（前記ポケット部分）に取り付けることができる。
【００１８】
これにより、例えば看護師等は両手の空いた状態にすることができる。そして携帯用ライト１を、例えば胸ポケットに取り付けた状態においては、前記有機ＥＬパネル３が前面に向かって位置することになり、有機ＥＬパネル３からの面発光による光を、看護師等の前面に向かって投射することができる。
【００１９】
前記携帯用ライト１の下底部（下側面）におけるほぼ中央部には、図４に示すように丸口の充電用コネクタ１０が配置されている。これは携帯用ライト１を立てた状態で、クレードル（図示せず）上に載置することで、前記充電用コネクタ１０を介して前記クレードル側から、ケース２に内蔵された前記二次電池に対して、充電電流が供給できるように構成されている。
なお図５に示すように、携帯用ライト１の背面の下底部近傍には、主電源スイッチ１１が配置されており、これはスライドスイッチにより構成されており、この主電源スイッチ１１は後述するマイコン動作も含めて、電源供給を遮断できるように機能する。
【００２０】
前記した構成の携帯用ライト１は、クリップ７の操作部７ａが、ケース２の上端部近くまで突出した状態に構成されている。したがって、図８に示すように携帯用ライト１の天地を逆にして、例えば机上などの水平面Ｔ上に載置することで、クリップ７の操作部７ａが携帯用ライト１の背面側の支えの機能を果たす。これにより、携帯用ライト１を倒立させることができ、この携帯用ライト１は必要に応じて、ディスクライトとして利用することもできる。
【００２１】
図９は、前記した携帯用ライト１の回路構成の一例を示したブロック図である。
この携帯用ライト１には、電源回路１５が備えられ、この電源回路１５には前記した二次電池と、前記した充電用コネクタ１０から二次電池に至る充電回路等が含まれる。
この電源回路１５からはマイコン１６および有機ＥＬパネル３のドライバー回路１７、さらにＬＥＤ駆動回路１８に対して駆動電流が供給されるように構成されている。
【００２２】
前記マイコン１６には、前記した電源オン・オフの機能を兼ねる有機ＥＬパネル３の調光スイッチ４、有機ＥＬパネル３の調色スイッチ５、および秒針点灯スイッチ６が接続されている。
また、前記マイコン１６からは前記ドライバー回路１７に対して、有機ＥＬパネル３の発光色および発光輝度を調整するためのＲ（赤）、Ｇ（緑）、Ｂ（青）に対応したＰＷＭ信号（Ｒ用ＰＷＭ信号、Ｇ用ＰＷＭ信号、Ｂ用ＰＷＭ信号）がそれぞれ供給されるように構成されている。そして、前記ドライバー回路１７からは、有機ＥＬパネル３における各色の発光駆動用電極に対して、前記ＰＷＭ信号に対応した駆動電流（Ｒ用信号、Ｇ用信号、Ｂ用信号）がそれぞれ供給されるように構成されている。
【００２３】
一方、マイコン１６においては、マイコン１６を駆動するクロック信号を利用して、これを分周することで、１秒毎に出力されるトリガー信号を生成する機能を備えており、このトリガー信号がＬＥＤ駆動回路１８に供給されて、前記したとおりＬＥＤ１９の緑色発光ダイオードを１秒毎に点灯させる秒針機能を果たすように構成されている。
なお、前記ＬＥＤ１９は、前記した二次電池への充電状態等を示す機能も備えており、前記したとおり二次電池への充電中においては、マイコン１６はＬＥＤ駆動回路１８に対して、ＬＥＤ１９の赤色発光ダイオードを点灯させる指示を出すように機能する。
【００２４】
図９に示した回路構成において、電源オン・オフの機能を兼ねる有機ＥＬパネル３の調光スイッチ４は、これを所定時間以上継続してプッシュ操作（長押し）したときに、前記マイコン１６は電源のオン操作がなされたと見なして、前記電源回路１５から有機ＥＬパネル３のドライバー回路１７、およびＬＥＤ駆動回路１８に対して駆動電流を供給する指示を出す。これにより、携帯用ライト１は電源オン状態に設定され、前記有機ＥＬパネル３は発光状態になされる。
【００２５】
また、携帯用ライト１の電源オン状態において、電源オン・オフの機能を兼ねる調光スイッチ４を再び所定時間以上継続してプッシュ操作（長押し）したときには、前記マイコン１６は電源のオフ操作がなされたと見なして、前記電源回路１５からの有機ＥＬパネル３のドライバー回路１７、およびＬＥＤ駆動回路１８に対する駆動電流の供給を停止する指示を出す。これにより、前記有機ＥＬパネル３は消灯される。
【００２６】
携帯用ライト１の電源オン状態において、前記調光スイッチ４を短時間プッシュ操作した時には、短時間のプッシュ操作毎にマイコン１６は有機ＥＬパネル３の調光操作がなされたと判断し、マイコン１６からドライバー回路１７に与える各ＰＷＭ信号のデューティ比を順次低下させるように作用する。これにより有機ＥＬパネル３の発光輝度は、一例として１００％→→６０％→→３０％→→０％のように輝度が変化し、その次の調光スイッチ４のプッシュ操作により有機ＥＬパネル３の発光輝度は、再び１００％に復帰する動作が繰り返される。
【００２７】
一方、調色スイッチ５をプッシュ操作した時には、マイコン１６は有機ＥＬパネル３の調色操作がなされたと判断し、マイコン１６からドライバー回路１７に与える各ＰＷＭ信号のデューティ比が予め定められた値に設定される。これにより、調色スイッチ５のプッシュ操作毎に有機ＥＬパネル３の色温度は、２８００Ｋ（電球色）および４２００Ｋ（白色）に反復して切り換えられる。
【００２８】
さらにマイコン１６に接続された前記秒針点灯スイッチ６は、これをプッシュ操作することにより、前記マイコン１６はＬＥＤ駆動回路１８に指令を送り、ＬＥＤ駆動回路１８は前記したとおり、ＬＥＤ１９を緑の発光色で１秒毎に点灯するように制御する。そして、秒針点灯スイッチ６の再度のプッシュ操作により、ＬＥＤ１９の秒針点灯の機能は停止（消灯）される。
【００２９】
前記した携帯用ライトによると、面発光光源として有機ＥＬパネルが用いられているので、患者に対してまぶしさを与えることなく、直近の周囲を幅広く照らすことができる。これにより、患者の状態観察や必要な看護業務を十分に果たすことができる。
そして、１秒毎に点灯するＬＥＤの光投射軸は、有機ＥＬパネルの面に沿った方向に設定されているので、この携帯用ライトを装着した看護師は、１秒毎に点灯するＬＥＤの光を確実に関知することができる。したがって、前記ＬＥＤの点灯タイミングと対比しつつ、点滴の滴下速度等を調整することができるなど、前記した発明の効果の欄に記載したとおりの作用効果を得ることができる。
【符号の説明】
【００３０】
１    携帯用ライト
２    ケース
２ａ  脚部
３    面発光光源（有機ＥＬパネル）
４    電源／調光スイッチ（調光操作部）
５    調色スイッチ（調色操作部）
６    秒針点灯スイッチ
７    クリップ
７ａ  操作部
７ｂ  挟持部
８    支軸
９    バネ部材
１０  充電用コネクタ
１１  主電源スイッチ
１５  電源回路
１６  マイコン
１７  ドライバー回路
１８  ＬＥＤ駆動回路
１９  ＬＥＤ
Ｔ    水平面
【図１】
2017098053.tif 000003
【図２】
2017098053.tif 000004
【図３】
2017098053.tif 000005
【図４】
2017098053.tif 000006
【図５】
2017098053.tif 000007
【図６】
2017098053.tif 000008
【図７】
2017098053.tif 000009
【図８】
2017098053.tif 000010
【図９】
2017098053.tif 000011